(57)【要約】 【課題】  リモコン装置からのリモコン信号によって誤作動せず、表示画面を表示装置周辺の明るさに応じた適切な明るさに制御できる表示装置を提供する【解決手段】    制御手段４０が動作モード又は停止モードであるにかかわらず、ステップＳ30又はステップＳ40の処理で、リモコン受信手段５０がリモコン操作装置９０の操作に基づく赤外線リモコン信号を受信し、リモコン受信手段５０からリモコンコードが供給されている場合は、今回の輝度調整制御処理を動作無効として終了させる。【選択図】  図１
2005176181.tif 000002
【特許請求の範囲】
【請求項１】
リモコン装置からのリモコン信号を受信するリモコン受信手段を備え、リモコン装置からのリモコン信号による指示に基づいて制御される表示装置であって、
表示デバイスの表示画面の輝度を自動調整する輝度自動調整手段を備え、
前記リモコン受信手段がリモコン信号を受信したときには、該輝度自動調整手段による輝度調整を制限する
ことを特徴とする表示装置。
【請求項２】
リモコン装置からのリモコン光線信号を受信するリモコン受信手段を備え、リモコン装置からのリモコン光線信号による指示に基づいて作動制御される表示装置であって、
周辺の明るさを検出する明るさ検出手段と、
表示デバイスの表示画面の輝度を調整する輝度調整手段と、
前記明るさ検出センサの検出出力に基づいて該輝度調整手段を作動制御する輝度制御手段と、
前記リモコン受信手段がリモコン光線信号を受信したときには、該輝度制御手段による前記明るさ検出センサの検出出力に基づく制御変更を制限する制限手段と
を備えていることを特徴とする表示装置。
【請求項３】
リモコン装置からのリモコン光線信号を受信するリモコン受信手段を備え、リモコン装置からのリモコン光線信号による指示に基づいて作動制御される表示装置であって、
周辺の明るさを検出する明るさ検出手段と、
表示デバイスの表示画面の輝度を調整する輝度調整手段と、
前記明るさ検出センサの検出出力に基づいて該輝度調整手段を作動制御する輝度制御手段と、
該輝度制御手段の作動時に、前記リモコン受信手段がリモコン光線信号を受信したときには、該輝度制御手段の制御閾値を変更する閾値変更手段と
を備えていることを特徴とする表示装置。
【請求項４】
前記表示デバイスは、前記各手段が設けられた表示装置に一体的に設けられていることを特徴とする請求項１乃至３いずれかに記載の表示装置。
【請求項５】
前記各手段が設けられた表示装置は、前記表示デバイスが外部接続可能であることを特徴とする請求項１乃至３いずれかに記載の表示装置。
【発明の詳細な説明】
【技術分野】
【０００１】
本発明は、ＣＲＴ（Cathode Ray Tube），ＬＣＤ（Liquid Crystal Display）等によって構成された表示画面上に、リモコン操作装置の操作に基づき映像等を表示する表示装置に関し、特に、周囲の明るさによって自動的に表示画面の明るさを制御することができる表示装置に関する。
【背景技術】
【０００２】
従来のテレビ受像機等の表示装置には、フォトセンサによって表示装置周辺の明るさを検出し、このフォトセンサの検出出力に基づいて制御手段が表示画面の輝度を自動調節し、昼間時等の周囲光が多く明るい状況では表示画面の輝度を比較的高い輝度にし、夜間時等の周囲光が少なく暗い状況では表示画面の輝度を比較的低い輝度にして、表示装置周辺の明るさの変化に応じて、表示画面の明るさを適切に制御するものがある。
【０００３】
例えば、特開平７−２８１６２９号公報記載の電子機器は、リモコン操作装置からの赤外線リモコン信号を検出する受光素子（フォトセンサ）が、赤外線リモコン信号の出力がないときに機器周辺の明るさを検出し、この検出した機器周辺の明るさに応じた最適な明るさに表示画面の輝度を自動調整するようになっている。
【０００４】
また、この種の表示装置として、リモコン操作装置からの赤外線リモコン信号を検出する受光素子とは別に、表示装置周辺の明るさを検出するための専用フォトセンサを設けたものがある。
【特許文献１】特開平７−２８１６２９号公報
【発明の開示】
【発明が解決しようとする課題】
【０００５】
しかしながら、リモコン操作装置からの赤外線リモコン信号を検出するためのフォトセンサと、表示装置周辺の明るさを検出するためのフォトセンサとを、一のフォトセンサで共用した表示装置にあっては、この共用したフォトセンサの出力が、赤外線リモコン信号又は周囲光いずれによるものかを、常に識別しなければならない。そのため、赤外線リモコン信号の受信と周囲光の受信とを区別する必要から、周囲光の受信処理中は赤外線リモコン信号の受信処理ができなくなる虞れがあり、リモコン操作装置の操作に対する表示装置の応答性等に支障を来たすという問題点があった。
【０００６】
また、表示装置周辺の明るさを検出するための専用フォトセンサを備えた表示装置にあっては、一般にその受光部は、赤外線リモコン信号を検出するためのフォトセンサと同様に、表示画面が設けられた筐体正面に配設されている。そのため、この専用フォトセンサは、表示装置自身のリモコン操作装置からの赤外線リモコン信号の受光はもとより、他装置のリモコン操作装置からの赤外線リモコン信号の受光によっても、表示装置周辺の明るさ変化によらずにその出力が変動してしまう。この結果、表示装置周辺の明るさを検出するための専用フォトセンサを備えた表示装置であっても、リモコン操作装置からの赤外線リモコン信号の受光による専用フォトセンサの誤作動により、表示画面を表示装置周辺の明るさに応じた適切な明るさに制御できない、という問題点があった。
【０００７】
そこで、この表示装置周辺の明るさを検出するための専用フォトセンサに赤外線フィルタを設け、この赤外線フィルタによってリモコン操作装置からの赤外線リモコン信号を減衰して、その誤作動を防ぐことも考えられる。しかし、この場合は、新たに赤外線フィルタを備えた専用フォトセンサを準備する必要があった。
【０００８】
本発明は、上述した問題点を鑑みなされたもので、表示デバイスの表示画面の輝度を自動調整する輝度自動調整手段がリモコン装置からのリモコン信号によって誤作動しないようにした表示装置を提供するもので、特に、表示装置周辺の明るさを検出する明るさ検出センサが、リモコン操作装置からの赤外線リモコン信号の受光によって誤作動しても、表示画面を表示装置周辺の明るさに応じた適切な明るさに制御できる表示装置を提供することを目的とする。
【課題を解決するための手段】
【０００９】
本発明の表示装置は、リモコン装置からのリモコン信号を受信するリモコン受信手段を備え、リモコン装置からのリモコン信号による指示に基づいて制御される表示装置であって、表示デバイスの表示画面の輝度を自動調整する輝度自動調整手段を備え、前記リモコン受信手段がリモコン信号を受信したときには、該輝度自動調整手段による輝度調整を制限することを特徴とする。
【００１０】
また、本発明の表示装置は、リモコン装置からのリモコン光線信号を受信するリモコン受信手段を備え、リモコン装置からのリモコン光線信号による指示に基づいて作動制御される表示装置であって、周辺の明るさを検出する明るさ検出手段と、表示デバイスの表示画面の輝度を調整する輝度調整手段と、前記明るさ検出センサの検出出力に基づいて該輝度調整手段を作動制御する輝度制御手段と、前記リモコン受信手段がリモコン光線信号を受信したときには、該輝度制御手段による前記明るさ検出センサの検出出力に基づく制御変更を制限する制限手段とを備えていることを特徴とする。
【００１１】
また、本発明の表示装置は、リモコン装置からのリモコン光線信号を受信するリモコン受信手段を備え、リモコン装置からのリモコン光線信号による指示に基づいて作動制御される表示装置であって、周辺の明るさを検出する明るさ検出手段と、表示デバイスの表示画面の輝度を調整する輝度調整手段と、前記明るさ検出センサの検出出力に基づいて該輝度調整手段を作動制御する輝度制御手段と、該輝度制御手段の作動時に、前記リモコン受信手段がリモコン光線信号を受信したときには、該輝度制御手段の制御閾値を変更する閾値変更手段とを備えていることを特徴とする。
【発明の効果】
【００１２】
本発明の表示装置によれば、表示デバイスの表示画面の輝度を自動調整する輝度自動調整手段がリモコン装置からのリモコン信号によって誤作動せず、表示画面を表示装置周辺の明るさに応じた適切な明るさに制御できる。
【００１３】
特に、表示装置周辺の明るさを検出する明るさ検出センサが、リモコン操作装置からの赤外線リモコン信号の受光によって誤作動しても、表示画面を表示装置周辺の明るさに応じた適切な明るさに制御できる。
【００１４】
また、そのための構成も、明るさ検出センサを、赤外線フィルタを備えた専用フォトセンサに変更することなく、制御手段におけるソフトウェア上のアルゴリズムの変更のみで容易に実施することができる。
【発明を実施するための最良の形態】
【００１５】
本発明の一実施の形態に係る表示装置について、図面とともに説明する。
図１は、本発明の一実施の形態に係る表示装置のブロック図である。
図１において、表示装置１には、画像信号の中の輝度信号Ｙと色信号Ｃとを合成したビデオ信号VIDEOが、入力信号として供給される。入力されたビデオ信号VIDEOは、映像処理手段１０に供給されて、輝度信号Ｙと色信号Ｃの分離処理、色信号Ｃの復調処理、輝度信号Ｙの輝度調整処理、輝度信号Ｙ及び色差信号（Ｒ-Ｙ，Ｂ-Ｙ，Ｇ-Ｙ）のマトリックス処理、等が行われて、赤色信号Ｒ、緑色信号Ｇ、青色信号ＢからなるＲＧＢ表示信号が生成される。
【００１６】
そして、映像処理手段１０で生成されたＲＧＢ表示信号は、ＣＲＴ，ＬＣＤ等からなる表示デバイス２０に供給されて、その画面上にビデオ信号VIDEOの画像が表示される構成になっている。
【００１７】
映像処理手段１０は、例えばＩ２Ｃ（Inter Integrated Circuit Control）バス３０を介して制御手段４０に接続され、映像処理手段１０と制御手段４０との間では双方向通信が可能になっている。
【００１８】
制御手段４０には、リモコン操作装置９０から発信される赤外線リモコン信号を受光するリモコン受信手段５０と、表示装置１周辺の明るさを検出するためのＯＰＣ（Optical Picture Control）手段６０とが接続されている。
【００１９】
リモコン受信手段５０は、赤外線リモコン信号を受光するためのフォトセンサ５１を有し、このフォトセンサ５１によって受信した赤外線リモコン信号の受信処理を行い、制御手段４０にリモコンコード（リモコン操作装置９０からのリモコン送信データ）を出力する。
【００２０】
ＯＰＣ手段６０は、表示装置１の周辺光を受光するためのフォトセンサ６１を有し、フォトセンサ６１の出力電圧データ、すなわち表示装置１周辺の明るさ（照度）に応じた明るさ検出データを出力する。
【００２１】
このリモコン受信手段５０のフォトセンサ５１、及びＯＰＣ手段６０のフォトセンサ６１は、例えば、表示デバイス２０の表示画面が臨んでいる表示装置１の本体正面に設けられている。
【００２２】
制御手段４０は、マイクロコンピュータ等によって構成される。そして、制御手段４０は、リモコン操作装置９０の操作に応じてリモコン受信手段５０から供給されるリモコンコードに基づき、映像処理手段１０以外の図示省略した構成部をも含む表示装置１の各部を制御する。また、制御手段４０は、ＯＰＣ手段６０から供給される明るさ検出データ（フォトセンサ６１の出力電圧データ）に基づき、映像処理手段１０を制御して、表示デバイス２０の画面の輝度調整を行う。
【００２３】
次に、上述のように構成された表示装置１における表示デバイス２０の輝度調整について説明する。
なお、説明にあたっては、表示デバイス２０は、例えばＬＣＤ２１によって構成されているものとし、表示デバイス２０の輝度調整は、このＬＣＤ２１に備えられた図示せぬバックライトの明るさを、映像処理手段１０に設けられた輝度調整手段１１が、制御手段４０からの指示に基づき連続可変調整するものとする。
【００２４】
すなわち、輝度調整手段１１は、制御手段４０からの指示に基づきデューティ比が可変のＰＷＭ信号（パルス幅変調信号）を生成し、このＰＷＭ信号によりバックライト駆動回路を周期的にオン・オフさせて、バックライトの明るさを加減する構成になっている。輝度調整手段１１は、ＰＷＭ信号のデューティ比を上げることにより、バックライトの明るさ（輝度）を上昇させ、デューティ比１００％のＰＷＭ信号をバックライト駆動回路に出力することにより、バックライトは１００％点灯状態となり、ＬＣＤ２１は最大輝度になる。反対に、輝度調整手段１１は、ＰＷＭ信号のデューティ比を下げることにより、バックライトの明るさ（輝度）を低下させ、ＬＣＤ２１の輝度も低下する。
【００２５】
また、映像処理手段１０には、ＯＳＤ（On Screen Display）表示制御手段１２が備えられている。ＯＳＤ表示制御手段１２は、リモコン操作装置９０の操作に基づくリモコンコードにより制御手段４０が行う各種制御に関して、そのメニューや表示装置１の作動状態をＬＣＤ２１にＯＳＤ表示する。
【００２６】
ＯＳＤ表示制御手段１２は、上述した映像処理手段１０で輝度調整手段１１による輝度調整が行われている際には、ＬＣＤ２１の現在の輝度レベルをその生成されたＰＷＭ信号のデューティ比に対応させて、ビデオ信号VIDEOによる画像上に重ねてＯＳＤ表示する。
【００２７】
このような輝度調整手段１１を備えた映像処理手段１０をＯＰＣ手段６０から供給される明るさ検出データ（フォトセンサ６１の出力電圧データ）に基づいて制御するに当たり、制御手段４０は、その記憶手段の例えばＥＥＰＲＯＭ（Electronic EPROM）に、図２に示すような明るさセンサテーブル４１を備えている。
【００２８】
図２は、制御手段に備えられた明るさセンサテーブルの説明図である。
明るさセンサテーブル４１には、ＯＰＣ手段６０から供給される明るさ検出データＢ（ＯＰＣ入力電圧［Ｖ］）、この明るさ検出データＢに基づく輝度調整のレベルＬ（本実施の形態では、レベル０〜１０の１１段階）、この輝度調整レベルＬ毎に対応した輝度調整手段１１によるＰＷＭ信号の目標デューティ比［％］Ｄｔが、例えば図２に示すような対応関係で記憶されている。
【００２９】
すなわち、本実施例の明るさセンサテーブル４１では、明るさ検出データＢの値に応じて、ＬＣＤ２１は、制御手段４０によってレベル０〜１０の１１段階の輝度調整レベルＬのいずれかに調整される。すなわち、明るさ検出データＢの値が低くなり、表示装置１周辺が暗くなる程、輝度調整レベルＬのレベル値も低下し、ＬＣＤ２１のバックライトの明るさを加減するＰＷＭ信号の目標デューティ比Ｄｔも低下する。また、明るさ検出データＢの値が高くなり、表示装置１周辺が明るくなる程、輝度調整レベルＬのレベル値も上昇し、ＬＣＤ２１のバックライトの明るさを加減するＰＷＭ信号の目標デューティ比Ｄｔも上昇する。
【００３０】
したがって、昼間時において周囲光が多く明るい状況では、表示装置１のＬＣＤ２１は比較的高い輝度に自動調節され、夜間時において周囲光が少なく暗い状況では、表示装置１のＬＣＤ２１は比較的低い輝度の表示画面に自動調節されるので、周囲の明るさにかかわらず、表示装置１は常に適切な表示画面の明るさを実現できるようになっている。
【００３１】
さらに、図２に示した明るさセンサテーブル４１には、映像処理手段１０の輝度調整手段１１が制御手段４０からの指示によって目標デューティ比Ｄｔに対する輝度調整を行っている際に、輝度調整手段１１が生成するＰＷＭ信号のデューティ比Ｄｎと、このデューティ比Ｄｎに応じてＯＳＤ表示制御手段１２がＬＣＤ２１に表示するＯＳＤ表示Ｉとの対応関係１３も、併せて記載してある。
【００３２】
これにより、ＯＳＤ表示制御手段１２は、ＰＷＭ信号のデューティ比Ｄｎの値に応じたＯＳＤ表示Ｉとして、所定のキャラクタ（例えば、“ω”）を０〜１０個の範囲でＬＣＤ２１にＯＳＤ表示し、現在の輝度レベルを視覚認識できるようにしている。
【００３３】
次に、本実施の形態の表示装置１において、制御手段２０が行う輝度調整制御処理の実施例について説明する。
【実施例１】
【００３４】
図３は、制御手段が行う輝度調整制御処理の第１の実施例を示すフローチャートである。
制御手段４０は、所定時間間隔（例えば、１００ms）毎に、図３のステップＳ10〜Ｓ46に示すような輝度調整制御処理を行う。
制御手段４０は、輝度調整制御処理の開始に当たって、まずＯＰＣ手段６０から供給される明るさ検出データＢ（ＯＰＣ入力電圧［Ｖ］）を読み込む（ステップＳ10）。
【００３５】
そして、制御手段４０は、現在のモードが、映像処理手段１０の輝度調整手段１１に輝度変更を実行させている動作モード（輝度調整中モード）であるか、映像処理手段１０の輝度調整手段１１に輝度変更を実行させていない停止モード（輝度非調整中モード）であるかを、後述のステップＳ35又はステップＳ44で設定したモード状態から判別する（ステップＳ20）。
【００３６】
＜停止モード（輝度非調整中モード）＞
制御手段４０は、ステップＳ20で停止モードである場合は、リモコン受信手段５０がリモコン操作装置９０の操作に基づく赤外線リモコン信号を受信し、リモコン受信手段５０からリモコンコードが供給されているか否かを確認する（ステップＳ30）。そして、制御手段４０は、リモコン受信手段５０からリモコンコードが供給されている場合は、今回の輝度調整制御処理を動作無効として終了させ、供給されているリモコンコードに応じた処理等を行う。
【００３７】
これに対して、制御手段４０は、リモコン受信手段５０からリモコンコードが供給されていない場合は、映像処理手段１０の輝度調整手段１１によるＬＣＤ２１の輝度調整が必要か否かの判定処理を行う（ステップＳ31）。制御手段４０は、この判定を、ステップＳ10で読み込んだ検出データＢに対応して明るさセンサテーブル４１（図２参照）に基づき得られるＰＷＭ信号の目標デューティ比（以下、入力値という）Ｄｔｉと、現在、映像処理手段１０の輝度調整手段１１が生成しているＰＷＭ信号の目標デューティ比（以下、現在値という）Ｄｔｐとを比較し、その差が予め設定されている所定値範囲（例えば、±２４％）を逸脱しているか否かで判定する。
【００３８】
このステップＳ31による輝度調整の必要有無の判定で、入力値Ｄｔｉが現在値Ｄｔｐの所定値範囲内であれば、制御手段４０は、映像処理手段１０の輝度調整手段１１が生成しているＰＷＭ信号のデューティ比の目標値Ｄｔは現在値Ｄｔｐのままで変更する必要もなく、ＬＣＤ２１の輝度を変更せずに今回の輝度調整制御処理を終了する。
【００３９】
一方、ステップＳ31の判定で、入力値Ｄｔｉが現在値Ｄｔｐの所定値範囲を逸脱している場合は、映像処理手段１０の輝度調整手段１１が生成しているＰＷＭ信号のデューティ比の目標値Ｄｔは入力値Ｄｔｉに変更する必要があるものとして、その映像処理手段１０の輝度調整手段１１による輝度調整を開始させる。
【００４０】
そのために、制御手段４０は、その記憶手段のＲＡＭに構成された収束カウンタ４２のカウント値Ｃをクリア（零リセット）する（ステップＳ32）。
【００４１】
その上で、制御手段４０は、映像処理手段１０の輝度調整手段１１に対して、ＰＷＭ信号のデューティ比の目標値Ｄｔを入力値Ｄｔｉとする輝度調整指示を出力するとともに、この入力値Ｄｔｉを新たな現在値Ｄｔｐとして記憶し、現在値Ｄｔｐを更新する（ステップＳ33）。
【００４２】
また、制御手段４０は、映像処理手段１０のＯＳＤ表示制御手段１２に対して、輝度調整手段１１が生成しているＰＷＭ信号のデューティ比Ｄｎに応じたＯＳＤ表示指示を出力する（ステップＳ34）。
【００４３】
これにより、Ｉ２Ｃ（Inter Integrated Circuit Control）バス３０を介して、この輝度調整指示及びＯＳＤ表示指示を受けた映像処理手段１０は、輝度調整手段１１に、制御手段４０から供給された入力値Ｄｔｉを目標値Ｄｔとして設定するとともに、ＯＳＤ表示制御手段１２に、図２に示した対応関係で、１０秒間だけ現在のデューティ比Ｄｎに対応する輝度をＯＳＤ表示させる。
【００４４】
この結果、輝度調整手段１１は目標値Ｄｔが入力値ＤｔｉであるＰＷＭ信号の生成を開始することになり、ＬＣＤ２１の画面上には、現在のデューティ比Ｄｎに対応する輝度がインデックス表示されることになる。
そして、制御手段４０は、停止モード（輝度非調整中モード）から動作モード（輝度調整中モード）に移行し（ステップＳ35）、今回の輝度調整制御処理を終了する。
【００４５】
＜動作モード（輝度調整中モード）＞
制御手段４０は、ステップＳ20で動作モードである場合も、リモコン受信手段５０がリモコン操作装置９０の操作に基づく赤外線リモコン信号を受信し、リモコン受信手段５０からリモコンコードが供給されているか否かを確認する（ステップＳ40）。そして、制御手段４０は、リモコン受信手段５０からリモコンコードが供給されている場合は、今回の輝度調整制御処理を動作無効として終了させ、供給されているリモコンコードに応じた処理等を行う。
【００４６】
これに対して、制御手段４０は、リモコン受信手段５０からリモコンコードが供給されていない場合は、映像処理手段１０の輝度調整手段１１によるＬＣＤ２１のさらなる輝度調整が必要か否かの判定処理を行う（ステップＳ41）。制御手段４０は、この判定を、ステップＳ10で読み込んだ検出データＢに対応して明るさセンサテーブル４１（図２参照）に基づき得られるＰＷＭ信号の目標デューティ比（入力値）Ｄｔｉと、現在、映像処理手段１０の輝度調整手段１１が生成しているＰＷＭ信号の目標デューティ比（現在値）Ｄｔｐとを比較し、その差が予め設定されている調整終了範囲内（例えば、±４％）であるか否かで判定する。
【００４７】
このステップＳ41による調整終了範囲内の判定で、入力値Ｄｔｉが現在値Ｄｔｐに対して調整終了範囲内であれば、制御手段４０は、映像処理手段１０の輝度調整手段１１が生成しているＰＷＭ信号のデューティ比の目標値Ｄｔは現在値Ｄｔｐのままで変更する必要もなく、収束カウンタ４２のカウント値Ｃをインクリメントする（ステップＳ42）。
【００４８】
その上で、制御手段４０は、このインクリメントした収束カウンタ４２のカウント値Ｃが予め設定されている調整終了判定値Ｃ０（例えば、Ｃ０＝１０）を超えているか否かを判定する（ステップＳ43）。そして、収束カウンタ４２のカウント値Ｃが調整終了判定値Ｃ０を超えている場合には、制御手段４０は、表示装置１周辺の明るさに応じたＬＣＤ２１の輝度調整が終了したものとして、動作モード（輝度調整中モード）から停止モード（輝度非調整中モード）に移行し（ステップＳ44）、今回の輝度調整制御処理を終了する。
【００４９】
一方、ステップＳ41の判定で、入力値Ｄｔｉが現在値Ｄｔｐの調整終了範囲内を逸脱している場合は、映像処理手段１０の輝度調整手段１１が生成しているＰＷＭ信号のデューティ比の目標値Ｄｔは入力値Ｄｔｉにさらに変更する必要があるものとして、その映像処理手段１０に輝度調整手段１１による輝度調整を再度開始させる。
【００５０】
そのために、制御手段４０は、その記憶手段のＲＡＭに構成された収束カウンタ４２のカウント値Ｃをクリア（零リセット）する（ステップＳ45）。
【００５１】
その上で、制御手段４０は、映像処理手段１０の輝度調整手段１１に対して、ＰＷＭ信号のデューティ比の目標値Ｄｔを入力値Ｄｔｉとする輝度調整指示を出力するとともに、この入力値Ｄｔｉを新たな現在値Ｄｔｐとして記憶し、現在値Ｄｔｐを更新し（ステップＳ46）、今回の輝度調整制御処理を終了する。
【００５２】
以上、上述した第１の実施例の輝度調整制御処理によれば、表示装置１周辺の明るさを検出するＯＰＣ手段６０のフォトセンサ６１が、リモコン操作装置９０からの赤外線リモコン信号の受光によって出力値が変化しても、その影響を受けることなく、ＬＣＤ２１のバックライトの輝度を表示装置１周辺の明るさに応じた適切な明るさに制御できる。
【００５３】
すなわち、輝度調整の開始に当たっては、制御手段４０は、リモコン操作装置９０が操作され、リモコン受信手段５０からリモコンコードが供給されている場合には、輝度調整を開始せず、さらに、リモコン受信手段５０からリモコンコードが供給されていない場合であっても、これから調整しようとする調整輝度の目標値（入力値Ｄｔｉ）が、現在の調整輝度（現在値Ｄｔｐ）に対して所定値以上の差がなければ、輝度調整を開始しないので、他装置のリモコン操作装置からの赤外線リモコン信号の受信による誤作動も防止できる。また、輝度調整中においても、リモコン受信手段５０からリモコンコードが供給されている場合は、輝度調整終了の判定及び調整輝度の目標値（入力値Ｄｔ）の変更も行わず、また、その判定にも影響を与えないので、リニアな輝度調整が行える。
【００５４】
しかも、これらの輝度調整処理は、フォトセンサ６１を、赤外線フィルタを備えた専用フォトセンサに変更することなく、制御手段４０におけるソフトウェア上のアルゴリズムの変更のみで容易に実施することができる。
【実施例２】
【００５５】
次に、本実施の形態の表示装置１において、制御手段２０が行う輝度調整制御処理の第２の実施例について説明する。
【００５６】
図４は、制御手段が行う輝度調整制御処理の第２の実施例を示すフローチャートである。なお、図中において、第１の実施例に示した制御手段４０による輝度調整制御処理の場合と、同一又は同様の個別処理については、同一ステップ符号を付し、その詳細な説明は省略する。
【００５７】
本実施例では、制御手段４０が動作モード又は停止モードであるにかかわらず、ステップＳ30又はステップＳ40の処理で、リモコン受信手段５０がリモコン操作装置９０の操作に基づく赤外線リモコン信号を受信し、リモコン受信手段５０からリモコンコードが供給されている場合は、今回の輝度調整制御処理を動作無効として終了させるのではなく、輝度調整制御処理のために予め設定されている閾値（すなわち、設定値）の変更処理をしてから（ステップＳ51，Ｓ52）、今回の以降の輝度調整制御処理を行うことを特徴とする。
【００５８】
例えば、制御手段４０は、停止モードのステップＳ31による輝度調整の必要有無の判定処理を、入力値Ｄｔｉと現在値Ｄｔｐとの差が予め設定されている所定値範囲を逸脱しているか否かで判定しているが、リモコン受信手段５０からリモコンコードが供給されている場合には、ステップＳ51の閾値変更処理で、今回の輝度調整制御処理についてだけ、この所定値範囲（例えば、±２４％）を予め設定されている別の所定値範囲（例えば、±４８％）に変更する。
【００５９】
また、制御手段４０は、動作モードのステップＳ41によるさらなる輝度調整が必要か否かの判定処理を、入力値Ｄｔｉと現在値Ｄｔｐとの差が予め設定されている所定値範囲を逸脱しているか否かで判定しているが、リモコン受信手段５０からリモコンコードが供給されている場合には、ステップＳ52の閾値変更処理で、今回の輝度調整制御処理についてだけ、この所定値範囲（例えば、±４％）を予め設定されている別の所定値範囲（例えば、±８％）に変更する。
【００６０】
したがって、本実施例によれば、リモコン受信手段５０からリモコンコードが供給されている場合の輝度調整制御処理について、第１の実施例が動作無効にして輝度調整制御処理に影響を及ぼさないようにするのに対し、本実施例では、リモコン操作装置からの赤外線リモコン信号の受信による影響を、ステップＳ51，Ｓ52の閾値変更処理によって最小限に抑えて今回の輝度調整制御処理を進めることができる。そのため、輝度調整制御処理の繰り返しの実行による輝度調整処理について、その開始、終了、目標値Ｄｔの変更について、その判定の遅滞を最小限に抑えることができる。
【００６１】
なお、上述した実施例では、ステップＳ51，Ｓ52の閾値変更処理によって、停止モードのステップＳ31による輝度調整の必要有無の判定、及び動作モードのステップＳ41によるさらなる輝度調整が必要か否かの判定処理の所定値範囲を別の所定値範囲に変更するように構成したが、閾値変更処理はこれに限るものではない。
【００６２】
例えば、図２に示した明るさセンサテーブル４１の輝度調整レベルＬに対応した、明るさ検出データＢ（ＯＰＣ入力電圧［Ｖ］）、又は輝度調整手段１１によるＰＷＭ信号の目標デューティ比［％］Ｄｔの値範囲を変更して今回の輝度調整制御処理を進めることも可能であり、さらには、明るさセンサテーブル４１自体を、別の明るさセンサテーブルに変更して今回の輝度調整制御処理を進めることも可能である等、ステップＳ51，Ｓ52の閾値変更処理には、リモコン操作装置からの赤外線リモコン信号の受信による影響を抑える種々の処理を含むものである。
【００６３】
本実施の形態の表示装置１は、以上、説明したとおりであるが、その構成は上述した構成に限定されるものではない。
【００６４】
例えば、表示デバイス２０は、ＬＣＤ２１に限定されるものではなく、ＣＲＴ，ＰＤＰ（Plasma Display Panel）、ＥＬ（Electro Luminescent ）ディスプレイ等であっても、本発明の表示装置は適用可能で、この場合は、表示デバイス２０の種類に応じて、映像処理手段１０の輝度調整手段１１、及び明るさセンサテーブル４１の目標値のデータ種別（デューティ比）を適宜変更すれば、容易にその対応をはかることができる。
【００６５】
また、上記実施の形態では、制御手段４０は、ステップＳ33，Ｓ46で、入力値Ｄｔｉを目標値Ｄｔとする輝度調整指示を映像処理手段１０に出力する構成としたが、入力値Ｄｔｉが現在値Ｄｔｐに対してかけ離れている場合は、入力値Ｄｔｉよりも現在値Ｄｔｐに近く現在値Ｄｔｐに対して所定量だけ入力値Ｄｔｉに近づけた値Ｄｔｉ’を目標値Ｄｔとする輝度調整指示を映像処理手段１０に出力する構成とし、表示デバイス２０の急激な輝度を避け、本来の目標値Ｄｔとして入力値Ｄｔｉに対する表示デバイス２０の輝度変化を除所に進めることも可能である。なお、この場合は、今回の輝度調整制御処理においては、この値Ｄｔｉ’が新たな現在値Ｄｔｐとして記憶され、現在値Ｄｔｐが更新される。また、このような構成を制御手段４０に備えるのに代えて、映像処理手段１０側に備えていてもよい。
【００６６】
さらに、本発明の表示装置は、実施の形態の説明では、表示装置本体に表示デバイス２０を一体的に備えている構成として説明したが、表示デバイス２０は必ずしも備えている必要はなく、ビデオディスクプレーヤ等のような、別体の表示デバイス近傍に配置され、別体の表示デバイスにＲＧＢ信号を出力する機器にも適用可能である。
【図面の簡単な説明】
【００６７】
【図１】本発明の一実施の形態に係る表示装置のブロック図である。
【図２】本実施の形態の表示装置における、制御手段に備えられた明るさセンサテーブルの説明図である。
【図３】本実施の形態の表示装置における、制御手段が行う輝度調整処理の第１の実施例を示すフローチャートである。
【図４】本実施の形態の表示装置における、制御手段が行う輝度調整制御処理の第２の実施例を示すフローチャートである。
【符号の説明】
【００６８】
１  表示装置
１０  映像処理手段
１１  輝度調整手段
２０  表示デバイス
３０  Ｉ２Ｃバス
４０  制御手段
４１  明るさセンサテーブル
５０  リモコン受信手段
６０  ＯＰＣ手段（明るさ検出手段）
６１  フォトセンサ
【図１】
2005176181.tif 000003
【図２】
2005176181.tif 000004
【図３】
2005176181.tif 000005
【図４】
2005176181.tif 000006